(57)【要約】【課題】浮子が発する光の外部からの視認状態を調整することができる浮子の提供【解決手段】魚釣り用の浮子１は、光ファイバー２、光調整チューブ３、固定チューブ５を有している。光ファイバー２は、外面に、マーキング部及び透明部を有している。円筒チューブ３も、光ファイバー２と同様に、外面にマーキング部及び透過部を有している。光調整チューブ３は、光ファイバー２に外挿される。また、固定チューブ５によって、光ファイバー２に光調整チューブ３を外挿する位置を調整することができる。これによって、魚釣り用の浮子１では、当該魚釣り用の浮子１の外部からの視認したときの発光パターンを複数形成することができる。【選択図】  図３
2010051178.tif 000002
【特許請求の範囲】
【請求項１】
水面に浮遊する浮子であって、
当該浮子を水面に配置したときに、水面上に位置する指標手段であって、第１の発光部及び第２の発光部を有する指標手段、
前記第１の発光部が発する光の一部若しくは全部について、当該光の外部からの視認状態を調整し、及び、前記第２の発光部が発する光の一部若しくは全部について、当該光の外部からの視認状態を調整する光調整手段、
を有する浮子であって、
前記光調整手段は、
前記第１の発光部及び前記第２の発光部に対して移動することによって、前記視認状態を調整すること、
を特徴とする浮子。
【請求項２】
請求項１に係る浮子であって、
前記光調整手段は、
光を透過若しくは遮断することによって、前記視認状態を調整すること、
を特徴とする浮子。
【請求項３】
請求項２に係る浮子であって、
前記第２の発光部は、
光を発しない非発光部であり、
前記光調整手段は、
前記第１の発光部が発する光の一部若しくは全部を遮光する遮光部、及び、前記第１の発光部が発する光の一部若しくは全部を透過する透過部を有すること、
を特徴とする浮子。
【請求項４】
請求項３に係る浮子であって、
前記指標手段は、
円柱形状を有し、
前記光調整手段は、
環状の円柱形状である円筒形状を有し、前記指標手段に嵌合し、上下に移動可能であること、
を特徴とする浮子。
【発明の詳細な説明】
【技術分野】
【０００１】
本発明は、浮子に関し、特に外部に発する光の視認状態を調整するものに関する。
【背景技術】
【０００２】
従来の魚釣り用浮子を図５及び図６を用いて説明する。図５に示すように、魚釣り用浮子１００は、発光源１１０とバッテリ１２２を収容すると共に浮力を得るボディ１０３と、このボディ１０３の上部に取り付けられてあたりをとる棒状のトップ１０２と、ボディ１０３の下部に取り外し可能に取り付けられバッテリ１２２などの交換を可能とするソケット１０４とで構成されている。
トップ１０２は浮子下の魚の動きや餌の様子を伝える目印となるものであり、発光源１１０から光を受けて明るくなることに加え、破損しにくくしかも軽い材料によって形成されている。このトップ１０２は、餌落ちやあたりなどの水面Ｓ下の状況を確実にそして細かに伝えるため、色分けされた目盛り１０５を設けて視認性を向上させている。
また、トップ１０２は、光ファイバ１０６とその周囲を覆う鞘管１０７との２層構造とされている。
【０００３】
図６に示すように、光ファイバ１０６と鞘管１０７との間には隙間を設けて空気層１０８をつくり、トップ１０２としての浮力が増すようにしている。光ファイバ１０６の周囲には螺旋状に細かな傷１２３を入れることによって光が漏れ出るように形成されている。
２層構造となっているトップ１０２は、鞘管１０７の方に目盛り１０５が入れられている。目盛り１０５は、トップ１０２を構成する鞘管１０７の周面に縦方向に黒色部１０５ｂと有色部１０５ｃとに交互に色分けしている。この場合、黒色部１０５ｂは光を発しない一方、有色部１０５ｃは内側の光ファイバ１０６から漏れる発光ダイオードの光を透過させて所定の色で発光する。トップ１０２には、黒色部１０５ｂ及び有色部１０５ｃがそれぞれ６箇所ずつ設けられている。
【特許文献１】特開２０００−４１５５２号  公報
【発明の開示】
【発明が解決しようとする課題】
【０００４】
しかしながら、前述の魚釣り用浮子１００には、以下のような改善すべき点がある。魚釣り用の浮子１００では、鞘管１０７の周面に縦方向に交互に色分けされている黒色部１０５ｂ及び有色部１０５ｃは固定されている。このため、釣りの現場で刻々と変化する環境にあわせて順次浮子を取り替える必要があり、また、対象魚によって同じ号数でも数種類の浮子を用意する必要がある、といった改善すべき点がある。
そこで、本発明は、浮子が発する光の外部からの視認状態を調整することができる浮子を提供する。
【発明の効果】
【０００５】
本発明者は、様々な検討を重ねた結果、本発明に係る浮子を完成した。本発明における課題を解決するための手段及び発明の効果を以下に示す。
本発明に係る浮子は、水面に浮遊する浮子であって、当該浮子を水面に配置したときに、上に位置する指標手段であって、第１の発光部及び第２の発光部を有する指標手段、前記第１の発光部が発する光の一部若しくは全部について、当該光の外部からの視認状態を調整し、及び、前記第２の発光部が発する光の一部若しくは全部について、当該光の外部からの視認状態を調整する光調整手段、を有する浮子であって、前記光調整手段は、前記第１の発光部及び前記第２の発光部に対して移動することによって、前記視認状態を調整する。
これにより、浮子が発する光の外部からの視認状態を容易に変更することができる。
【０００６】
本発明に係る浮子では、前記光調整手段は、光を透過若しくは遮断することによって、前記視認状態を調整する。
これにより、浮子が発する光の視認状態としての発光パターンを容易に変更することができる。
本発明に係る浮子では、請求項２に係る浮子であって、前記第２の発光部は、光を発しない非発光部であり、前記光調整手段は、前記第１の発光部が発する光の一部若しくは全部を遮光する遮光部、及び、前記第１の発光部が発する光の一部若しくは全部を透過する透過部を有する。
これにより、浮子が発する光の視認状態としての発光、非発光に関する発光パターンを容易に変更することができる。
【０００７】
本発明に係る浮子では、前記指標手段は、円柱形状を有し、前記光調整手段は、環状の円柱形状である円筒形状を有し、前記指標手段に嵌合し、上下に移動可能である。
これにより、指標手段に対する光調整手段の位置を容易に変更することができる。
ここで、本発明に係る特許請求の範囲の構成要素と実施例における構成要素との対応関係を示す。
指標手段は光ファイバー２に、第１の発光部は光ファイバー２の透明部２ａ、２ｂ、２ｃに、第２の発光部は光ファイバー２のマーキング部２ｗ、２ｘ、２ｙ、２ｚに、光調整手段は光調整チューブ３に、それぞれ対応する。
また、光調整手段の遮光部は光調整チューブ３のマーキング部３ｖ、３ｗ、３ｘ、３ｙ、３ｚに、光調整チューブ３の透過部は３ａ、３ｂ、３ｃ、３ｄに、それぞれ対応する。
【発明を実施するための最良の形態】
【０００８】
以下、本発明の実施形態について、図面を参照しながら詳細に説明していく。
【実施例１】
【０００９】
１．魚釣り用の浮子１の構成
本実施例に係る浮子の一実施例である魚釣り用の浮子１の構成を図１を用いて説明する。魚釣り用の浮子１は、光ファイバー２、光調整チューブ３、上側本体ケース８、下側本体ケース９を有している。
光ファイバー２は、魚釣り用の浮子１を水面に配置したときに、その全部若しくは一部が水面上に位置する。アクリル樹脂によって形成される透明な円柱形状を有している。光ファイバー２は、外面に、赤、黒等の遮光色によって色づけ加工されたマーキング部及び加工が施されていない透明部を有している。光ファイバー２は、マーキング部及び透明部を有することによって海面上での指標として機能する。光ファイバー２のマーキング部、透明部を含む外観については後述する。
【００１０】
光調整チューブ３は、アクリル樹脂によって形成される透明な円筒形状を有している。光調整チューブ３は、光ファイバー２に外挿される。また、円筒チューブ３も、光ファイバー２と同様に、外面にマーキング部及び透過部を有している。円筒チューブ３のマーキング部、透明部を含む外観についても後述する。
固定チューブ５は、ウレタン系エラストマーによって形成される透明な円筒形状を有している。固定チューブ５は、光調整チューブ３の外側に位置する。また、固定チューブ５の一端には、上側本体ケース８の上端が挿入され、上側本体ケース８に固定される。
上側本体ケース８及び下側本体ケース９は、ＡＢＳ樹脂などの熱可塑性樹脂によって形成されている。上側本体ケース８及び下側本体ケース９は、両者を一体とし、また、分離するための雌雄ネジ構造を有している。
【００１１】
図１における魚釣り用の浮子１の一部断面図を図２に示す。魚釣り用の浮子１は、光ファイバー２、光調整チューブ３、赤色発光ダイオード４、固定チューブ５、固定具６、保持具７、抵抗パーツ１０、電池ケース１２、リチウム電池１３、及びＯリング１４を有している。
光ファイバー２は、固定具６を介して赤色発光ダイオード４に接続されている。これにより、赤色発光ダイオード４が発した光を、光ファイバー２の先端まで導くことが可能となる。なお、光ファイバー２の赤色発光ダイオード４への取り付けは、光ファイバーの赤色発光ダイオード４側の端部を平面研磨光沢処理後、赤色発光ダイオード４に密着接触させる。これにより、赤色発光ダイオード４が発する光の光量ロスを少なくすることができる。
【００１２】
光ファイバー２の透明部には、光ファイバー２の表層クラッド部分が螺旋状に切削加工されている。このように光ファイバー２の表層を螺旋状に切削加工することによって、赤色発光ダイオード４から導いた光を透明部から外側に放射することができる。つまり、光ファイバー２において透明部は、発光手段として機能する。
光ファイバー２は、上側本体ケース８の上端に形成される挿入口ｔ８に挿入され、上側本体ケース８に固定される。これによって、光ファイバー２は、上側本体ケース８によって支持される。また、光ファイバー２を上側本体ケース８に挿入口ｔ８に挿入することによって、上側本体ケース８及び下側本体ケース９によって形成される内部空間の機密性を維持している。
【００１３】
光調整チューブ３の最も下側に位置する状態（基本状態）は、下側の端面が、上側本体ケース８の上側の端面と接する状態である。また、光調整チューブ３の最も上側に位置する状態（最上位状態）は、基本状態から光調整チューブ３を上側に移動させて、光調整チューブ３が固定チューブ５によってふらつきなく固定される状態となる。従って、光調整チューブ３は、基本状態から最上位状態まで移動が可能である。
固定チューブ５は、下側の一端において、上側本体ケース８の上端の外面ｓ８と勘合し、自身を上側本体ケース８に固定する。固定チューブ５の内径は、光調整チューブ３の外形よりも小さく形成されている。固定チューブ５に光調整チューブ３を挿入する際に発生する固定チューブ５の弾性力によって、光調整チューブ３を固定する。光調整チューブ３の固定チューブ５への挿入位置を調整することによって、光調整チューブ３の光ファイバー２に対する相対な固定位置を矢印ａ１、ａ２方向へ移動させることができる。
【００１４】
赤色発光ダイオード４は保持具７に保持されている。保持具７は、２つの電気的な接続端子を有している。一つの接続端子は、リード線を介して抵抗パーツ１０に接続されている。他方の接続端子は、リード線を介して電池ケース１２に接続されている。抵抗パーツ１０は、リード線を介して電池ケース１２に接続されている。電池ケース１２は、リチウム電池１３を保持している。
Ｏリング１４は、上側本体ケース８と下側本体ケース９によって形成される本体内部の気密状態を保持するために、上側本体ケース８若しくは下側本体ケース９の雌雄ネジ構造部に設けられる。
【００１５】
２．光ファイバー２及び光調整チューブ３の外観
図１及び図２に係る第１光ファイバー２及び光調整チューブ３ｃの外観を図３を用いて説明する。
光ファイバー２の外観を図３Ａに示す。図３Ａでは、図１及び図２におけるＸ−Ｘ面より上側に位置する光ファイバー２の外観を示している。光ファイバー２は、外面に、マーキング部２ｗ、２ｘ、２ｙ、２ｚ、及び、透明部２ａ、２ｂ、２ｃを有している。各マーキング部の長さは、光ファイバー２の先端部に位置するマーキング部２ｗの長さを「Ｘ」とすると、マーキング部２ｘの長さが「３Ｘ」、マーキング部２ｙの長さが「４Ｘ」、マーキング部２ｚの長さが「３Ｘ」となっている。また、各透明部の長さは、透明部２ａの長さが「４Ｘ」、透明部２ｂの長さが「Ｘ」、透明部２ｃの長さが「２Ｘ」となっている。
【００１６】
光調整チューブ３の外観を図３Ｂに示す。図３Ｂでは、図１及び図２におけるＸ−Ｘ面より上側に位置する光調整チューブ３の外観を示している。光調整チューブ３は、外面に、マーキング部３ｖ、３ｗ、３ｘ、３ｙ、３ｚ、及び、透過部３ａ、３ｂ、３ｃ、３ｄを有している。各マーキング部の長さは、光調整チューブ３の先端部に位置するマーキング部３ｖの長さを「Ｘ」とすると、マーキング部３ｗの長さが「２Ｘ」、マーキング部３ｘの長さが「２Ｘ」、マーキング部３ｙの長さが「２Ｘ」、マーキング部３ｚの長さが「３Ｘ」となっている。
また、各透過部の長さは、透過部３ａの長さが「２Ｘ」、透過部３ｂの長さが「２Ｘ」、透過部３ｃの長さが「２Ｘ」、透過部３ｄの長さが「２Ｘ」となっている。なお、光調整チューブ３のマーキング部３ｖの長さ「Ｘ」と光ファイバー２のマーキング部２ｗの長さ「Ｘ」とは、同じ長さである。
【００１７】
３．発光パターン
図３Ａに示す光ファイバー２に図３Ｂに示す光調整チューブ３ｃを外挿する位置を調整することによって、魚釣り用の浮子１では、当該魚釣り用の浮子１の外部からの視認したときの発光パターンを複数形成することができる。魚釣り用の浮子１が形成する発光パターンを図４を用いて説明する。参考のために、図４Ａに、光ファイバー２の外観を示す。
光調整チューブ３の上端と光ファイバー２の上端とを一致させるように、光調整チューブ３を光ファイバー２に外挿した場合の発光パターンを図４Ｂに示す。この場合、光調整チューブ３のマーキング部が光ファイバー２の透明部２ａの一部及び透明部２ｂを遮光することとなり、光ファイバー２の透明部２ａの一部の領域（１）及び透明部２ｃの全部の領域（２）から光が発光されることになる。つまり、魚釣り用の浮子１を外部から見たときの発光箇所は２カ所となる。
【００１８】
次に、光調整チューブ３の上端を、光ファイバー２の上端から長さ「Ｘ」だけ上側に移動させて、光調整チューブ３を光ファイバー２に外挿した場合の発光パターンを図４Ｃに示す。この場合、光調整チューブ３のマーキング部が光ファイバー２の透明部２ａの一部を遮光することとなり、光ファイバー２の透明部２ａの一部の領域（３）、（４）、透明部２ｂの全部の流域（５）、及び透明部２ｃの一部の流域（６）から光が発光されることになる。つまり、魚釣り用の浮子１を外部から見たときの発光箇所は４カ所となる。
【００１９】
次に、光調整チューブ３の上端を、光ファイバー２の上端から長さ「２Ｘ」だけ上側に移動させて、光調整チューブ３を光ファイバー２に外挿した場合の発光パターンを図４Ｄに示す。この場合、光調整チューブ３のマーキング部が光ファイバー２の透明部２ａの一部及び透明部２ｃを遮光することとなり、光ファイバー２の透明部２ａの一部の領域（７）、及び、透明部２ｂの全部の流域（８）から光が発光されることになる。つまり、魚釣り用の浮子１を外部から見たときの発光箇所は２カ所となる。
最後に、光調整チューブ３の上端を、光ファイバー２の上端から長さ「３Ｘ」だけ上側に移動させて、光調整チューブ３を光ファイバー２に外挿した場合の発光パターンを図４Ｅに示す。この場合、光調整チューブ３のマーキング部が光ファイバー２の透明部２ａの一部、透明部２ｂ及び透明部２ｃを遮光することとなり、光ファイバー２の透明部２ａの一部の領域（９）から光が発光されることになる。つまり、魚釣り用の浮子１を外部から見たときの発光箇所は１カ所となる。
このように、魚釣り用の浮子１では、光ファイバー２に対する光調整チューブ３の相対的な固定位置を調整することによって、魚釣り用の浮子１を外部から見たときの発光パターンを複数形成することができる。
【００２０】
［その他の実施例］
（１）光ファイバー２
前述の実施例１においては、赤色発光ダイオード４が発光する光を光ファイバー２によって導光することとした、赤色発光ダイオード４の光を導光することができるものであれば例示のものに限定されない。例えば、アクリル棒等の透明部材であっても。
（２）視認状態
前述の実施例１においては、魚釣り用の浮子１の外部からの視認状態として、当該魚釣り用の浮子１が発光する光の発光パターンを例示したが、外部からの視認状態であれば、例示のものに限定されない。例えば、魚釣り用の浮子１が発光する光の色パターンであってもよい。色パターンを調整する場合、例えば、各マーキング部を光に対する透過性を有する色に加工することによって、外部から見える光の色を変えることができる。この場合、光ファイバー２における透明部が第１の発光部に、透過性を有する色に加工されたマーキング部が第２の発光部に、それぞれ対応する。
【００２１】
（３）マーキング部
前述の実施例１においては、光ファイバー２のマーキング部２ｗ、２ｘ、２ｙ、２ｚ及び光調整チューブ３のマーキング部３ｖ、３ｗ、３ｘ、３ｙ、３ｚを遮光性を有する黒色に加工することとしたが、光を遮断できるものであれば、例示のものに限定されない。例えば、光ファイバーの外面において、マーキング部に対応する部分に光を遮断することができるものを巻き付けるようにしてもよい。
（４）光ファイバー２に対する光調整チューブ３の移動
前述の実施例１においては、光ファイバー２に対する光調整チューブ３の移動を、固定チューブ５に光調整チューブ３を挿入する際に発生する固定チューブ５の弾性力によって、光調整チューブ３を所望の位置に固定することによって実現したが、光ファイバー２に対して光調整チューブ３を移動させることができるものであれば、例示のものに限定されない。例えば、固定チューブ５を設けずに、光調整チューブ３を上側本体ケース８の一端に嵌合させ、所定の位置に固定させるようにしてもよい。また、固定チューブ５を設けずに、光調整チューブ３の内周面に凸部を、上側本体ケース８の上端部に凹部を、それぞれ設け、両者をかみ合わせることによって、光調整チューブ３を上側本体ケース８に固定するようにしてもよい。この場合、上側本体ケース８にも受ける凹部を複数設けることによって、光ファイバー２に対する光調整チューブ３の位置を移動させることができる。
（５）光ファイバー２及び光調整チューブ３の外観
前述の実施例１においては、光ファイバー２及び光調整チューブ３の外観として図３を例示したが、光調整チューブ３を光ファイバー２に対して相対的に移動させることによって、外部からの視認状態を複数形成できるものであれば、例示の外観に限定されない。
【産業上の利用可能性】
【００２２】
本発明は、魚釣り用の浮子として用いることができる。
【図面の簡単な説明】
【００２３】
【図１】本発明の一実施例を示す魚釣り用の浮子１の外観図である。
【図２】図１に示す魚釣り用の浮子１の一部断面図である、
【図３】光ファイバー２及び光調整チューブ３の外観を示す図であり、Ａは光ファイバー２の外観を、Ｂは光調整チューブ３の外観を、それぞれ示している。
【図４】魚釣り用の浮子１が発する光パターンを示す図であり、Ａは光ファイバー２の発光パターンを、Ｂ〜Ｅは光ファイバー２と光調整チューブ３とを組み合わせたときの光パターンを、それぞれ示している。
【図５】従来の魚釣り用の浮子１を説明するための図である。
【図６】従来の魚釣り用の浮子１を説明するための図である。
【符号の説明】
【００２４】
１・・・・・魚釣り用の浮子
２・・・・・光ファイバー
３・・・・・光調整チューブ
２ｗ、２ｘ、２ｙ、２ｚ・・・・・光ファイバー２のマーキング部
２ａ、２ｂ、２ｃ・・・・・光ファイバー２の透明部
３ｖ、３ｗ、３ｘ、３ｙ、３ｚ・・・・・光調整チューブ３のマーキング部
３ａ、３ｂ、３ｃ、３ｄ・・・・・光調整チューブ３の透過部
【図１】
2010051178.tif 000003
【図２】
2010051178.tif 000004
【図３】
2010051178.tif 000005
【図４】
2010051178.tif 000006
【図５】
2010051178.tif 000007
【図６】
2010051178.tif 000008